(57)【要約】  【課題】  本発明の目的は、通常、ＩＣタグに記憶される情報を販売後にも利用できる商品の流通管理システムを提供することである。        【解決手段】  デジタルカメラと非接触データ入出力装置とからなり、前記デジタルカメラはデジタルカメラ部と、第１記憶部を有し電波を受信することによってアンテナ部に誘起される電力を用いて外部と無線でデータを授受することにより外部から第１記憶部のデータの読み書きが可能なデジタルカメラ部と分離不能なＩＣメモリ部とからなり、前記非接触データ入出力装置は第２記憶部を有し、前記アンテナ部に電力を誘起すると共にＩＣメモリ部と無線でデータを授受することにより、第１記憶部のデータを第２記憶部に読み取ると共に第２記憶部のデータを第１記憶部に書きこむ流通管理システムとした。【選択図】        図１
2008016874.tif 000002
【特許請求の範囲】
【請求項１】
デジタルカメラと、非接触データ入出力装置とからなり、
前記デジタルカメラは、被写体の画像を撮影する画像撮影部と、撮影した画像を装着された記録媒体に撮影した画像の画像データを記録する記録部とを有するデジタルカメラ部と、
電波を送受信する第１アンテナ部と、データを記憶する第１憶部と、前記第１憶部の記憶を制御する第１制御部とを有し、前記電波を受信することによって前記第１アンテナ部に誘起される電力を用いて、外部と前記第１アンテナ部を介して無線でデータを授受することにより、外部から前記第１憶部のデータの読み書きが可能な、前記デジタルカメラ部と分離不能なＩＣメモリ部とからなり、
前記非接触データ入出力装置は、電波を送受信する第２アンテナ部と、データを記憶する第２記憶部と、前記第２記憶部の記憶を制御する第２制御部とを有し、前記ＩＣメモリ部と前記第２アンテナ部を介して無線でデータを授受することにより、前記第１記憶部のデータを前記第２記憶部に読み取ると共に、前記第２記憶部のデータを前記第１記憶部に書きこむ、ことを特徴とする流通管理システム。
【請求項２】
前記デジタルカメラ部は、デジタルカメラ部の動作を制御するプログラムを記憶する第３記憶部と、該第３記憶部の記憶を制御する第３制御部とを更に有すると共に、前記第１記憶部の記憶は前記第３制御部によっても制御され、
前記第１記憶部は前記プログラムによる前記デジタルカメラ部の動作を異ならしめるデータを記憶し、
前記非接触データ入出力装置は、前記第２記憶部に前記デジタルカメラ部の異なる動作の一つを選択するデータを記憶し、
前記デジタルカメラが販売された時に、前記デジタルカメラが販売されたことを示す販売情報を前記第１記憶部に書き込むと共に前記第２記憶部の前記データを前記第１記憶部に書き込むことを特徴とする請求項１に記載の流通管理システム。
【請求項３】
前記前記第１記憶部が記憶する前記デジタルカメラ部の動作を異ならしめるデータは前記プログラムによるデジタルカメラ部の動作を可能又は不可能とするデータであり、  
前記第１記憶部は、前記データとして、前記プログラムによるデジタルカメラ部の動作を不可能とするデータを記憶し、
前記非接触データ入出力装置は、前記デジタルカメラ部の異なる動作の一つを選択するデータとして、前記第２記憶部に前記デジタルカメラ部の動作を可能とするデータを記憶すると共に、前記販売情報を前記第１記憶部に書き込む時に、前記第１記憶部のデジタルカメラの動作を不可能とするデータを、前記第２記憶部のデジタルカメラの動作を可能とするデータに書き換えることを特徴とする請求項２に記載の流通管理システム。
【請求項４】
前記非接触データ入出力装置は、前記デジタルカメラの販売処理時に、前記デジタルカメラが販売されたことを示す販売情報を前記第１記憶部に書き込むことを特徴とする請求項１に記載の流通管理システム。
【請求項５】
前記第１記憶部は前記デジタルカメラの販売情報を記憶し、
前記非接触データ入出力装置は、コンピュータに接続されると共に、前記第１記億部の販売情報を読み取って前記コンピュータに転送し、
前記コンピュータは、前記販売情報に基づいて当該デジタルカメラに対するサービスの取り扱いを異ならしめることを特徴とする請求項４に記載の流通管理システム。
【請求項６】
前記コンピュータは、前記販売情報に基づいて当該デジタルカメラがサービス保証期間内であるか否かを判断し、前記判断結果に応じてサービスの取り扱いを異ならしめることを特徴とする請求項５に記載の流通管理システム。
【請求項７】
前記非接触データ入出力装置は、前記第１記憶部の前記デジタルカメラの固有情報と前記所有者情報とを更に読み取って前記コンピュータに転送し、
前記コンピュータは、前記固有情報と前記所有者情報とに基づいてサービス管理データを生成することを特徴とする請求項５に記載の流通管理システム。  
【請求項８】
前記非接触データ入出力装置は、前記デジタルカメラの所有者に関する所有者情報を前記第１記憶部に書き込むことを特徴とする請求項１に記載の流通管理システム。
【請求項９】
前記非接触データ入出力装置は、コンピュータに接続され、
前記所有者情報は前記コンピュータに入力され、前記コンピュータから前記第２記憶部に書き込まれることを特徴とする請求項８に記載の流通管理システム。
【請求項１０】
前記デジタルカメラ部は入力部を更に有し、
前記第３記憶部はパスワードを記憶し、
前記第３制御部は、前記入力部によって入力されたパスワードと前記第３記憶部に記憶したパスワードとを照合し、
前記入力部に入力されたパスワードと前記第３記憶部に記憶したパスワードとが一致したとき、前記第１記憶部の所有者情報を前記入力部に入力された所有者情報に置き換えることを特徴とする請求項８に記載の流通管理システム。
【請求項１１】
前記非接触データ入出力装置は、前記デジタルカメラの販売処理時に、前記デジタルカメラが販売されたことを示す販売情報と前記所有者に関する所有者情報とを前記第１記憶部に書き込むことを特徴とする請求項１に記載の流通管理システム。
【請求項１２】
前記非接触データ入出力装置は、前記デジタルカメラの流通に関する流通情報を前記第１記憶部に書き込むことを特徴とする請求項１に記載の流通管理システム。
【請求項１３】
前記デジタルカメラ部は、デジタルカメラ部の動作を制御するプログラムを記憶する第３記憶部と、該第３記憶部の記憶を制御する第３制御部とを更に有すると共に、前記第３記憶部の記憶は前記第１制御部によっても制御され、
前記第１記憶部は前記プログラムに関連する情報を記憶し、
前記非接触データ入出力装置は、前記デジタルカメラの販売情報又は所有者情報若しくは流通情報を前記第１記憶部に書き込む時に、更に前記プログラムに関連する情報を前記第１記憶部に書き込むことを特徴とする請求項４又は請求項８若しくは請求項１２のいずれかに記載の流通管理システム。
【請求項１４】
前記第２記憶部から前記第１記憶部に書きこまれるデータは前記デジタルカメラの流通に関する流通情報であり、
前記第１記憶部から前記第２記憶部に読み取られるデータは個々のデジタルカメラに特有の固有情報を含むことを特徴とする請求項１に記載の流通管理システム。  
【請求項１５】
前記流通情報及び前記固有情報は、前記デジタルカメラの流通拠点において読み書きされることを特徴とする請求項１４に記載の流通管理システム。
【請求項１６】
前記非接触データ入出力装置が接続されるコンピュータを更に備え、
前記コンピュータは、前記第２記憶部のデータを読み書きすることを特徴とする請求項１に記載の流通管理システム。
【請求項１７】
前記コンピュータは、前記デジタルカメラの流通を管理する流通管理用コンピュータであり、前記データは前記デジタルカメラの流通に関する情報データであることを特徴とする請求項１６記載の流通管理システム。
【請求項１８】
電子機器と、非接触データ入出力装置とからなり、
前記電子機器は、該電子機器の機能を果たす電子回路からなる電子機器部と、
電波を送受信する第１アンテナ部と、データを記憶する第１憶部と、前記第１憶部の記憶を制御する第１制御部とを有し、前記電波を受信することによって前記第１アンテナ部に誘起される電力を用いて、外部と前記第１アンテナ部を介して無線でデータを授受することにより、外部から前記第１憶部のデータの読み書きが可能な、前記電子機器部と分離不能なＩＣメモリ部とからなり、
前記非接触データ入出力装置は、電波を送受信する第２アンテナ部と、データを記憶する第２記憶部と、前記第２記憶部の記憶を制御する第２制御部とを有し、前記ＩＣメモリ部と前記第２アンテナ部を介して無線でデータを授受することにより、前記第１記憶部のデータを前記第２記憶部に読み取ると共に、前記第２記憶部のデータを前記第１記憶部に書きこむ、ことを特徴とする流通管理システム。
【請求項１９】
前記電子機器部は、該電子機器部の動作を制御するプログラムを記憶する第３記憶部と、該第３記憶部の記憶を制御する第３制御部とを更に有すると共に、前記第１記憶部の記憶は前記第３制御部によっても制御され、
前記第１記憶部は前記プログラムによる前記電子機器部の動作を可能又は不可能とするデータを記憶し、
前記非接触データ入出力装置は、前記第２記憶部に前記データとして前記電子機器部の動作を可能とするデータを記憶すると共に、前記電子機器が販売された時に前記電子機器が販売されたことを示す販売情報を前記第１記憶部に書き込み、同時に前記第１記憶部の電子機器の動作を不可能とするデータを、前記第２記憶部の前記電子機器の動作を可能とするデータに書き換えることを特徴とする請求項１８に記載の流通管理システム。
【発明の詳細な説明】
【技術分野】
【０００１】
本発明は、電子機器商品、例えばデジタルカメラの流通管理システムに関し、特に、外部から無線で電力供給を受けると共に、外部からの信号に基づいて記憶部のデータが非接触で読み書きされるＩＣメモリを用いて流通を管理する商品の流通管理システムに関する。
【背景技術】
【０００２】
商品管理ために、アンテナ部と記憶部とを有し、外部から無線で電力供給を受けると共に、外部からの信号に基づいて前記記憶部のデータが非接触で読み書きされるＩＣタグを商品に付随させ、前記記憶部に記憶させた商品情報をＩＣリーダー／ライターで読み取ることにより商品を管理する技術が知られている。
【特許文献１】特開２００４−２１３３７２
【発明の開示】
【発明が解決しようとする課題】
【０００３】
従来のＩＣタグは、通常、商品が販売されると商品から分離され廃棄される。
このため、商品の販売後は前記ＩＣタグに記憶された各種情報を利用することができなかった。
本発明の目的は、ＩＣタグに記憶された情報を商品の販売後にも利用できる商品の流通管理システムを提供することである。
【課題を解決するための手段】
【０００４】
上記本発明の目的を達成するために本発明では以下のようにした。
第１に、デジタルカメラと、非接触データ入出力装置とからなり、前記デジタルカメラは、被写体の画像を撮影する画像撮影部と、撮影した画像を装着された記録媒体に撮影した画像の画像データを記録する記録部とを有するデジタルカメラ部と、電波を送受信する第１アンテナ部と、データを記憶する第１憶部と、前記第１憶部の記憶を制御する第１制御部とを有し、前記電波を受信することによって前記第１アンテナ部に誘起される電力を用いて、外部と前記第１アンテナ部を介して無線でデータを授受することにより外部から前記第１憶部のデータの読み書きが可能な、前記デジタルカメラ部と分離不能なＩＣメモリ部とからなり、
前記非接触データ入出力装置は、電波を送受信する第２アンテナ部と、データを記憶する第２記憶部と、前記第２記憶部の記憶を制御する第２制御部とを有し、前記ＩＣメモリ部と前記第２アンテナ部を介して無線でデータを授受することにより、前記第１記憶部のデータを前記第２記憶部に読み取ると共に、前記第２記憶部のデータを前記第１記憶部に書きこむ、流通管理システムとした。前記ＩＣメモリ部は前記デジタルカメラ部と分離不能なので、前記ＩＣメモリ部に記憶させたデータは前記デジタルカメラに常備される。
【０００５】
より具体的には、上記システムにおいて、前記デジタルカメラ部は、デジタルカメラ部の動作を制御するプログラムを記憶する第３記憶部と、該第３記憶部の記憶を制御する第３制御部とを更に有すると共に、前記第１記憶部の記憶は前記第３制御部によっても制御され、前記第１記憶部は前記プログラムによる前記デジタルカメラ部の動作を異ならしめるデータを記憶し、前記非接触データ入出力装置は、前記第２記憶部に前記デジタルカメラ部の異なる動作の一つを選択するデータを記憶し、前記デジタルカメラが販売された時に、前記デジタルカメラが販売されたことを示す販売情報を前記第１記憶部に書き込むと共に前記第２記憶部の前記データを前記第１記憶部に書き込む。前記デジタルカメラの販売時に前記デジタルカメラ部の異なる動作の一つを選択することができる。
【０００６】
上記において、前記前記第１記憶部が記憶する前記デジタルカメラ部の動作を異ならしめるデータは前記プログラムによるデジタルカメラ部の動作を可能又は不可能とするデータであり、前記第１記憶部は、前記データとして、前記プログラムによるデジタルカメラ部の動作を不可能とするデータを記憶し、前記非接触データ入出力装置は、前記デジタルカメラ部の異なる動作の一つを選択するデータとして、前記第２記憶部に前記デジタルカメラ部の動作を可能とするデータを記憶すると共に、前記販売情報を前記第１記憶部に書き込む時に、前記第１記憶部のデジタルカメラの動作を不可能とするデータを、前記第２記憶部のデジタルカメラの動作を可能とするデータに書き換える。前記デジタルカメラの販売時までは前記デジタルカメラ部の動作を不可能とし、販売時に可能とすることができる。
【０００７】
また、前記非接触データ入出力装置は、前記デジタルカメラの販売処理時に、前記デジタルカメラが販売されたことを示す販売情報又は／及び前記デジタルカメラの所有者に関する所有者情報を前記第１記憶部に書き込む。更にまた、前記非接触データ入出力装置は、前記デジタルカメラの流通に関する流通情報を前記第１記憶部に書き込む。
【０００８】
上記において、前記デジタルカメラ部は、デジタルカメラ部の動作を制御するプログラムを記憶する第３記憶部と、該第３記憶部の記憶を制御する第３制御部とを更に有すると共に、前記第３制御部は前記第１制御部と通信し、前記第１記憶部は前記プログラムに関連する情報を記憶し、前記非接触データ入出力装置は、前記デジタルカメラの販売情報又は所有者情報若しくは流通情報を前記第１記憶部に書き込む時に、更に前記プログラムに関連する情報を前記第１記憶部に書き込む。前記デジタルカメラ部の動作を制御するプログラムの更新を容易に行うことができる。
【０００９】
前記第１記憶部は前記デジタルカメラの販売情報を記憶し、前記非接触データ入出力装置は、コンピュータに接続されると共に、前記第１記億部の販売情報を読み取って前記コンピュータに転送し、前記コンピュータは、前記販売情報に基づいて当該デジタルカメラに対するサービスの取り扱いを異ならしめる。具体的には、前記コンピュータは、前記販売情報に基づいて当該デジタルカメラがサービス保証期間内であるか否かを判断し、前記判断結果に応じてサービスの取り扱いを異ならしめる。前記販売情報を保証書と同様に取り扱う。
【００１０】
また、前記非接触データ入出力装置は、前記第１記憶部の前記デジタルカメラの固有情報と前記所有者情報とを更に読み取って前記コンピュータに転送し、前記コンピュータは、前記固有情報と前記所有者情報とに基づいてサービス管理データを生成する。
また、前記非接触データ入出力装置は、コンピュータに接続され、前記所有者情報は前記コンピュータに入力され、前記コンピュータから前記第２記憶部に書き込まれる。
【００１１】
前記流通管理システムは、前記デジタルカメラ部は入力部を更に有し、前記第３記憶部はパスワードを記憶し、前記第３制御部は、前記入力部によって入力されたパスワードと前記第３記憶部に記憶したパスワードとを照合し、前記入力部に入力されたパスワードと前記第３記憶部に記憶したパスワードとが一致したとき、前記第１記憶部の所有者情報を前記入力部に入力された所有者情報に置き換える。    
【００１２】
前記流通管理システムにおいて、前記第２記憶部から前記第１記憶部に書きこまれるデータは前記デジタルカメラの流通に関する流通情報であり、前記第１記憶部から前記第２記憶部に読み取られるデータは個々のデジタルカメラに特有の固有情報を含む。前記流通情報及び前記固有情報は、前記デジタルカメラの流通拠点において読み書きされる。
更に前記流通管理システムにおいて、前記非接触データ入出力装置が接続されるコンピュータを更に備え、前記コンピュータは、前記第２記憶部のデータを読み書きする。そして、前記コンピュータは、前記デジタルカメラの流通を管理する流通管理用コンピュータであり、前記データは前記デジタルカメラの流通に関する情報データである。
【００１３】
第２に、電子機器と、非接触データ入出力装置とからなり、前記電子機器は、該電子機器の機能を果たす電子回路からなる電子機器部と、電波を送受信する第１アンテナ部と、データを記憶する第１憶部と、前記第１憶部の記憶を制御する第１制御部とを有し、前記電波を受信することによって前記第１アンテナ部に誘起される電力を用いて、外部と前記第１アンテナ部を介して無線でデータを授受することにより、外部から前記第１憶部のデータの読み書きが可能な、前記電子機器部と分離不能なＩＣメモリ部とからなり、前記非接触データ入出力装置は、電波を送受信する第２アンテナ部と、データを記憶する第２記憶部と、前記第２記憶部の記憶を制御する第２制御部とを有し、前記ＩＣメモリ部と前記第２アンテナ部を介して無線でデータを授受することにより、前記第１記憶部のデータを前記第２記憶部に読み取ると共に、前記第２記憶部のデータを前記第１記憶部に書きこむ、ことを特徴とする流通管理システムとした。
【００１４】
より具体的には、前記電子機器部は、該電子機器部の動作を制御するプログラムを記憶する第３記憶部と、該第３記憶部の記憶を制御する第３制御部とを更に有すると共に、前記第１記憶部の記憶は前記第３制御部によっても制御され、前記第１記憶部は前記プログラムによる前記電子機器部の動作を可能又は不可能とするデータを記憶し、前記非接触データ入出力装置は、前記第２記憶部に前記データとして前記電子機器部の動作を可能とするデータを記憶すると共に、前記電子機器が販売された時に前記電子機器が販売されたことを示す販売情報を前記第１記憶部に書き込み、同時に前記第１記憶部の電子機器の動作を不可能とするデータを、前記第２記憶部の前記電子機器の動作を可能とするデータに書き換える。
【発明の効果】
【００１５】
本発明によれば、通常ＩＣタグに記憶される情報が商品の販売後にも商品に常備され、商品の販売後にも利用できる商品の流通管理システムが提供される。
【発明を実施するための最良の形態】
【００１６】
図１は、本発明の第１の実施の形態例を示すブロック図である。図１において、１００はデジタルカメラ、２００はＩＣリーダー／ライター（以下、ＩＣリーダーという）である。デジタルカメラ１００は、撮像部１１、記憶部１２、記録部１３、制御部１４及び入力部１６などを有するデジタルカメラ部１０に加え、アンテナ部２１とメモリ部２２と制御部２３等とからなるＩＣメモリ部２０を備える。デジタルカメラ１００の外装部品の一部はプラスチックなど電波を透過させる材料の部材が採用されている。そして、ＩＣメモリ部２０のアンテナ部２１は前記電波を透過させる部材の内側に配置されている。
【００１７】
デジタルカメラ部１０は市販されている通常のデジタルが有する構成と機能を備えている。記憶部１２は撮像部１１で撮影した画像を一時記憶する一時記憶部１２１と、制御部１４が前記各部を制御するためのプログラムを記憶する不揮発性記憶部１２２とを含む。記録部１３は一時記憶部１２１に記憶した画像を挿脱自在の記憶媒体１５に転記する。
【００１８】
ＩＣメモリ部２０は、ＩＣリーダー２００からの電波を受けることによりアンテナ部２１に電磁誘導によって誘起される電力によって作動し、所定周波数、例えば１３．６５ＭＨｚで信号をＩＣリーダー２００と送受信する。即ち、ＩＣリーダー２００から送られるデータをアンテナ部２１で受信してメモリ部２２に記録すると共に、メモリ部２２に記録されたデータをアンテナ部２１からＩＣリーダー２００に送信する。
【００１９】
ＩＣリーダー２００は、アンテナ部２１０とメモリ部２２０と制御部２３０等とからなり、所定の操作により前記所定周波数で信号をＩＣメモリ部２０と送受信することにより、ＩＣメモリ部２０のメモリ部２２に記憶されたデータを読み取ったり、メモリ部２２に所定のデータを書き込んだりする。
【００２０】
なお、ＩＣメモリ部２０のメモリ部２２にはデータの書き換えが多数回可能な書換可能領域２２１と書き換えが不能な書換不能領域２２２とがある。書換不能領域２２２は、例えば、制御部２３による記憶制御をメモリ部２２の所定のアドレスについては書込みアクセスを１度だけ可能とすることで実現される。または、書換不能部領域２２２のハード的構造を１度しか書き込むことができないような構造とすることもできる。いずれの領域もデータの読み取りは自由に行うことができる。
【００２１】
上記ＩＣリーダー２００でＩＣメモリ部２０のメモリ部２２のデータを読み書きする技術は、ＩＣタグやＩＣカードとして実用化されている技術であるので詳細な説明は省略するが、ＩＣリーダー２００は、紙などによる個別包装や個別された複数のデジタルカメラ１００をとりまとめた梱包の外側から非接触でメモリ部２２のデータの読み書きをすることができる。
【００２２】
そして、ＩＣメモリ部２０の制御部２３はデジタルカメラ部１０の制御部１４と接続されており、制御部１４とデータを授受することが可能である。なお、デジタルカメラ部１０の電源がＯＮとされている間、デジタルカメラ部１０はＩＣメモリ部２０に電力を供給する。その結果、デジタルカメラ部１０の制御部１４は制御部２３を介してＩＣメモリ部２０のメモリ部２２のデータを読み書きすることができる。即ち、ＩＣメモリ部２０のデータはＩＣリーダー２００とデジタルカメラ部１０の制御部１４とのいずれによっても読み書き可能とされている。デジタルカメラ部１０の制御部１４とメモリ部２２とを直接接続し、制御部１４がメモリ部２２のデータを直接読み書き可能としても良い。制御部１４は撮影部１１で撮影した画像をメモリ部２２に記憶させることもできる。制御部１４は一時記憶部１２１の容量が不足する場合に撮影した画像を一時記憶させたり、撮影した画像を継続的に記憶させたりする。
【００２３】
ＩＣメモリ２０の前記各部はデジタルカメラ部１０の制御部１４、記憶部１２と同一の基板上に配置することが好ましい。デジタルカメラ部１０の前記各部の製造工程において、同時にＩＣメモリ２０の前記各部を作り込むことができるので製造原価を低減することができる。
【００２４】
さて、デジタルカメラ１００は出荷先などに応じて異なる動作が求められる場合がある。例えばデジタルカメラの不図示の表示部に表示するメニュー画面の言語の種類を変えたり、デジタルカメラの内部で行う画像処理の内容を出荷先で好まれる画像を生成するものに変える。このような動作の変更は制御部１４が実行するプログラムの変更によって行うことができる。
【００２５】
制御部１４が実行するプログラムは、カメラメーカーの製造過程においてデジタルカメラ１００にインストールされる。前記プログラムは、パラメータの値に応じてデジタルカメラ１００に前述のような異なる動作をさせる。例えば、前記プログラムは、予め用意したパラメータの値と使用する言語との対応表（図２）を参照し、指定されたパラメータの値に対応する言語を用いて表示する。また、予め処理の内容が異なる複数の処理プログラムをデジタルカメラ１００にインストールし、パラメータの値に応じて使用する処理プログラムを選択する。前記処理プログラムの例として、例えば画像処理プログラムがある。
【００２６】
そして、前記パラメータの値は予め決められた出荷先などに応じて前記インストール時に所定の値とされる。前記インストールに際し、前記プログラムの大半はデジタルカメラ部１０の記憶部１２に記憶させるが、前記パラメータの値はＩＣメモリ部２０のメモリ部２２に記憶させる。デジタルカメラ部１０の制御部１４は、デジタルカメラ１００の電源スイッチがＯＮとされたときにメモリ部２２から前記パラメータの値を読み取り、その値に応じてデジタルカメラ１００の動作を制御する。制御部１４がメモリ部２２から前記パラメータの値を読み取るのはデジタルカメラ部１０が所定の動作モードとされた時とすることもできる。前記プログラムがデジタルカメラ部１０の特定の動作モード、例えば撮影モードのためのプログラムである場合などに有効である。
【００２７】
デジタルカメラ１００の製造・流通過程を示す図３、図４を参照して説明する。メーカーの製造過程において、デジタルカメラの製造システム用コンピュータ１０００に備えられたＩＣリーダー２００がデジタルカメラ１００のＩＣメモリ部２０のメモリ部２２にデジタルカメラ１００に関するメーカー情報、例えば、メーカー、機種、製造工場、ロット番号、製造年月日、ファームウェアのバージョンナンバー、製品番号、出荷検査年月日等を記憶させる。前記メーカー情報の一部は共通商品コードであるＪＡＮ（Japanese Article Number）コードとして記憶させても良い。
【００２８】
前記記憶をさせる際、一部の項目、特に製造番号など、そのデジタルカメラに特有の固有情報は前記書換不能領域２２２に記憶させる。前記固有情報はデジタルカメラ１００と不可分に組み込まれたＩＣメモリ２０のメモリ部２２の書換不能領域２２２に書き込まれているので、デジタルカメラ１００の本体に彫刻された製造番号と同様に、デジタルカメラ１００から分離することも書き換えることもできない。即ち、完全に一対一に対応している。
【００２９】
デジタルカメラ１００と直接接続された前記製造システム用コンピュータ１０００がデジタルカメラ部１０の記憶部１２に前記プログラムを記憶させる時に、同時に前記メーカー情報をＩＣメモリ部２２に記憶させることもできる。
そして、デジタルカメラ１００はメーカーの物流部門から販売店に向けて出荷されユーザーに販売される。その途中でメーカーの物流拠点、卸業者の物流拠点、販売店の物流拠点を経由する。前記メーカーの物流部門及び各物流拠点には夫々ＩＣリーダー２００を入出力手段として有する在庫管理システム用コンピュータが備えられている。メーカーの物流拠点、卸業者の物流拠点、販売店の物流拠点が備える在庫管理システム用コンピュータを夫々２０００、３０００、４０００とする。
【００３０】
販売店の店頭にはＩＣリーダー２００を入出力手段として有するキャッシュレジスター５１００が店頭に備えられている。前記キャッシュレジスター５１００は販売管理システム用コンピュータ５０００に接続され、いわゆるＰＯＳシステムが構成されている。
【００３１】
そして、各物流拠点において、該物流拠点への入庫時及び出庫時に前記メーカー情報がＩＣリーダー２００によってＩＣメモリ部２０のメモリ部２２から読み出され、在庫管理システム用コンピュータ２０００、３０００、４０００に入力される。同時に、入出庫の日時や出荷先などの流通情報がＩＣリーダー２００によってメモリ部２２に追記される。これによって、各デジタルカメラ１００のメモリ部２２にそのデジタルカメラ１００の流通履歴が記録される。
【００３２】
各流通拠点におけるメモリ部２２への読み書きは開梱の必要がなく、デジタルカメラ１００が梱包や個装された状態のままで可能なので、デジタルカメラ１００を一つひとつ取り出して確認していた従来の方法に比べ大幅に手間が減少する。
【００３３】
そして、販売店の店頭においてデジタルカメラ１００をユーザーに販売するときに、販売員はキャッシュレジスター５１００のＩＣリーダー２００でメモリ部２２の情報を読み取らせる。前記読み取られた情報は前記販売管理システム用コンピュータ５０００に入力される。キャッシュレジスター５１００と販売管理システム用コンピュータ５０００とによって前記入力された情報に基づいた売上処理がなされる。ＩＣリーダー２００は前記読み取りと同時に販売日時、販売店名などの販売情報をメモリ部２２に追記する。
また、販売員は販売管理システム用コンピュータ５０００に購入者の氏名、住所、電話番号などデジタルカメラ１００の所有者に関する所有者情報を入力する。前記所有者情報は販売管理システム用コンピュータ５０００からＩＣリーダー２００に送られＩＣリーダー２００は前記所有者情報をメモリ部２２に追記する。
【００３４】
なお、前記所有者情報は、デジタルカメラ１００のメニュー操作によって所有者本人によっては変更できるが所有者以外のものによっては変更できないようにする。例えば、デジタルカメラ１００の制御プログラムに、デジタルカメラ１００のメニュー操作によって前記所有者だけが知る所定のパスワードを入力させた後に前記所有者情報の変更を可能とするプログラムを追加する。前記プログラムは前記所定のパスワードによる認証を行い、認証の後でなければ前記所有者情報の書き変えを禁止する。デジタルカメラ１００を他人に譲渡した場合などに前記所有者情報の書き換えが行われる。
【００３５】
前記メーカー情報、流通履歴、販売情報、所有者情報は、デジタルカメラ部１０と分離することができないＩＣメモリ部２０のメモリ部２２に記憶されているので、デジタルカメラ１００はこれらの情報を常備している。
【００３６】
以下、図５を参照して説明する。後日、デジタルカメラ１００に修理などのサービスが必要になった場合、販売店やメーカーのサービス部門のサービス管理用コンピュータ６０００は、備えているＩＣリーダー２００によってＩＣメモリ部２０のメモリ部２２から前記販売記録と前記所有者情報と前記メーカー情報、特に製品番号とを読み取る。更に、必要に応じて前記流通履歴もメモリ部２２から読み取る。そして、検証部６１００が前記販売記録の販売日時に基づいてデジタルカメラ１００が無償サービス期間内であるか否かを検証し、サービス管理用コンピュータ６０００はその結果に応じて異なるサービス伝票を発行したり、異なるサービス料金を請求する。更にサービス管理用コンピュータ６０００のサービス管理情報データベースにそのデジタルカメラ１００のサービス情報を記憶する。
【００３７】
即ち、ＩＣメモリ部２０のメモリ部２２に記憶された前記販売記録と前記所有者情報とが従来の保証書の役割を果たす。保証書は紛失したり、探すのに多大の時間を要することが多いが、前記販売記録と所有者情報とはデジタルカメラ１００に組み込まれたメモリ部２２に記憶されているので前記問題が発生することはない。
なお、サービス管理用コンピュータ６０００が備えるＩＣリーダー２００によっても上述したパラメータの値の変更やプログラムのバージョンアップを行うことができる。
【００３８】
図５から離れるが、デジタルカメラ１００はメーカーで完成後、出荷先の変更が必要になることがある。そのような場合、メーカーはその物流拠点の在庫管理システム用コンピュータ２０００のＩＣリーダー２００によってメモリ部２２のパラメータの値を新たな出荷先に応じた値に書き直す。前記パラメータの値の書き直しは在庫管理システム用コンピュータ２０００のＩＣリーダー２００に限られずＩＣリーダー２００を備えるメーカーの適宜のコンピュータ、例えば製造システム用コンピュータ１０００で行うことができるが、在庫管理システム用コンピュータ２０００のＩＣリーダー２００で行うものとして説明する。
【００３９】
これによって、デジタルカメラ１００を新たな出荷先に適合したものとすることができる。なお、前記パラメータはメーカー以外のものによっては変更できないようにする。例えば、制御部２３はメーカーだけが知る所定のパスワードによる認証を行い、認証を得た後でなければ前記パラメータの書き変えを禁止する。
【００４０】
前記パラメータには、デジタルカメラ１００の作動を許可するパラメータも含まれている。デジタルカメラ部１０の制御部１４は、このパラメータが所定の値であることを検知しデジタルカメラ部１０を使用可能とする。このパラメータは、メーカーによる製造の最終段階で前記所定の値以外の値とされ、デジタルカメラ部１０は使用不能な状態とされる。そして、デジタルカメラ１００がユーザーに販売され、キャッシュレジスター５１００のＩＣリーダー２００が販売情報をメモリ部２２に追記するときに前記パラメータを前記所定の値に変更する。これによってデジタルカメラ１００は使用可能な状態となる。このようにすることにより正規に販売されていないデジタルカメラ１００は使用することができない。
【００４１】
以上、パラメータの値を変更する場合を例として説明したが、同様にしてデジタルカメラ部１０を動作させるプログラムをＩＣリーダー２００のメモリ部に記憶させ、前記プログラムをＩＣメモリ部２０のメモリ部２２に非接触で書き込み、デジタルカメラ１００への所定操作に応じて前記プログラムをデジタルカメラ部１０の記憶部１２に転記することもできる。これにより、デジタルカメラ１００に記憶されたプログラムのバージョンアップ等を容易に行うことができる。
【００４２】
ところで、ＩＣメモリ部２０のメモリ部２２にはデジタルカメラ部１０の機能の一部を行う比較的小規模なプログラムも記憶させることができる。ＩＣメモリ部２０の制御部２３はデジタルカメラ部１０の制御部１４の要求に応じて前記プログラムを用いて所定の処理をし、その結果をデジタルカメラ部１０に引き渡す。前記所定の処理に必要なデータなどの情報は必要に応じて制御部１４から入手する。デジタルカメラ部１０の制御部１４はＩＣメモリ部２０から受けた前記処理結果を用いてデジタルカメラ１００の動作を制御する。このプログラムも前記と同様、ＩＣリーダー２００のメモリ部に記憶させた前記プログラムをＩＣメモリ部２０のメモリ部２２に非接触で書き込むことにより容易にバージョンアップ等を行うことができる。
【００４３】
前記メモリ部２２に記憶されたプログラムも必要に応じてメーカーの在庫管理システム用コンピュータ２０００のＩＣリーダー２００によって新たなプログラムに書き換えることができる。なお、ＩＣリーダー２００は予めメーカーの製造システム用コンピュータ１０００などから前記新たなプログラムを入手している。新たに開発した機能のためのプログラムのように、機能を改善する新たなプログラムが短期間にリリースされる可能性のあるプログラムに好適である。
【００４４】
前記パラメータの変更やプログラムの書き換えは、メーカーの在庫管理サーバー２０００のＩＣリーダー２００が固有情報、流通情報を読み書きする時に同時に行われる。
また、メーカーからの要請と必要なデータの提供を受けた卸業者や販売店が、その在庫管理システム用コンピュータ３０００、４０００に接続されたＩＣリーダー２００やキャッシュレジスター５１００に接続されたＩＣリーダー２００によって固有情報、流通情報、販売情報を読み書きする時に同時に行うこともできる。
【００４５】
再び図５を参照して説明する。デジタルカメラ１００は記録媒体１５が記録部１３に装着されたときにＩＣメモリ部２０のメモリ部２２から前記販売情報を読み取り、記録媒体１５に記録する。更に、前記流通情報も読み取り記録媒体１５に記録する。又、撮影する毎に撮影した画像のデータを記録媒体１５に記録する。前記記録媒体１５は前記画像データを用いたサービスを受けるためにサービス提供業者に渡される。例えば画像プリントのために前記画像データを記録した記録媒体１５がデジタルカメラ１００から取り出されプリント業者に渡される。サービス提供業者は受け取った画像データを用いて画像のプリントを作成するなど所定のサービスを提供する。
【００４６】
前記サービス提供業者は、ユーザーからのサービス申し込みを受ける時に記録媒体１５を受け取り、サービス提供システム用コンピュータ７０００に装着する。前記サービス提供システム用コンピュータ７０００は、記録媒体１５から販売情報に含まれる所有者情報を読み取り、サービス申込書にプリント出力する。これにより、サービス注文者が氏名、住所、電話番号などを記入する手間が不要となる。
【００４７】
また、前記サービス提供システム用コンピュータ７０００は、検証部７１００を備える。検証部７１００は記録媒体１５から読み取った流通情報や販売情報、所有者情報が適正なものであるかどうかを検証し、その結果が適正なものである場合には所定のサービス処理を行い、適正なものでない場合にはその旨を報知する報知出力をする。販売情報や所有者情報が記録されていない場合は正規に販売されたカメラではない可能性がある。流通情報が連続していない場合にはイレギュラーに流通されたカメラ、例えば外国に輸出され逆輸入されたカメラである可能性がある。また、盗難届けのあったカメラの製品番号等の固有情報を予め前記サービス提供システム用コンピュータ７０００に登録しておけば盗難品を発見することもできる。ここでは前記盗難情報も前記流通情報に含まれるものとする。
【００４８】
デジタルカメラで生成された画像データは、該画像データに基づいたサービスを受けるためにサービス提供業者に持ち込まれることが多いので、前記サービス提供業者によるサービス申し込み受付時に上記の検証を行うことが有効である。
【００４９】
図３は本発明のデジタルカメラの第２の実施の形態の構成を示すブロック図である。第２の実施の形態は、第１の実施の形態における制御部２３を制御部１４が兼ね、メモリ部２２を記憶部１２の一部としたものである。このようにすることによりコンパクトに構成することができる。更に、より安価に製造するができる。
【図面の簡単な説明】
【００５０】
【図１】本発明の一実施の形態例のデジタルカメラ及びＩＣリーダーの構成を示すブロック図である。
【図２】デジタルカメラにパラメータに応じて異なる動作をさせる例を説明するための図である。
【図３】デジタルカメラの製造過程を説明するための図である。
【図４】デジタルカメラの流通過程を説明するための図である。
【図５】デジタルカメラに対するアフターサービス及び、画像データに基づくサービス提供を説明するための図である。
【図６】本発明の図１とは異なる実施の形態例におけるデジタルカメラの構成を示す図である。
【符号の説明】
【００５１】
１００………デジタルカメラ
１０…………デジタルカメラ部
１２…………記憶部
１３…………記録部
１４…………制御部
１５…………記録媒体
２０…………ＩＣメモリ部
２１…………アンテナ
２２…………メモリ部
２２１………書換可能領域
２２２………書換不能領域
２３…………制御部
２００………ＩＣリーダー
２１０………アンテナ
２２０………メモリ部
２３０………制御部
１０００……製造システム用コンピュータ
２０００……メーカーの在庫管理システム用コンピュータ
３０００……卸業者の在庫管理システム用コンピュータ
４０００……販売店の在庫管理システム用コンピュータ
５０００……販売店の販売管理システム用コンピュータ
５１００……キャッシュレジスター
６０００……サービス管理システム用コンピュータ
６１００……検証部
７０００……サービス提供システム用コンピュータ
７１００……検証部
【図１】
2008016874.tif 000003
【図２】
2008016874.tif 000004
【図３】
2008016874.tif 000005
【図４】
2008016874.tif 000006
【図５】
2008016874.tif 000007
【図６】
2008016874.tif 000008